(57)【要約】【課題】複数のカバーを用いても所望の配光制御が可能な照明器具を提供する。【解決手段】照明器具は、内部に中空部が形成された器具本体と、器具本体に取り付けられる光源ユニットと、を備え、光源ユニットは、光を照射する発光部と、発光部が載置され、中空部に収容されるフレームと、発光部を覆うようにフレームに取り付けられ、発光部から照射された光の配光を制御する第１のカバーと、第１のカバーに取り付けられ、発光部から照射された光の配光を制御する第２のカバーと、を有し、第１のカバーは、中空部に配置され、第２のカバーを保持する保持部を有する。【選択図】図８
2019102122.tif 000002
【特許請求の範囲】
【請求項１】
内部に中空部が形成された器具本体と、
前記器具本体に取り付けられる光源ユニットと、を備え、
前記光源ユニットは、
光を照射する発光部と、
前記発光部が載置され、前記中空部に収容されるフレームと、
前記発光部を覆うように前記フレームに取り付けられ、前記発光部から照射された光の配光を制御する第１のカバーと、
前記第１のカバーに取り付けられ、前記発光部から照射された光の配光を制御する第２のカバーと、を有し、
前記第１のカバーは、
前記中空部に配置され、前記第２のカバーを保持する保持部を有する
照明器具。
【請求項２】
前記第１のカバーは、
前記保持部から延び、前記フレームに係合する係合部を有する
請求項１記載の照明器具。
【請求項３】
前記保持部は、
前記第２のカバーが嵌め込まれる溝部を形成するものである
請求項１又は２記載の照明器具。
【請求項４】
前記保持部は、
前記発光部に向かって傾斜して延びている
請求項１〜３のいずれか１項に記載の照明器具。
【発明の詳細な説明】
【技術分野】
【０００１】
本発明は、光の配光を制御する複数のカバーを有する照明器具に関する。
【背景技術】
【０００２】
従来、複数のカバーによって、光の配光を制御する照明器具が知られている。特許文献１には、ＬＥＤが実装された基板が取り付けられるフレームと、基板を覆うようにフレームに取り付けられるカバーと、カバーの内側に取り付けられ、ＬＥＤから照射された光の配光を制御する配光制御板とを備える照明装置が開示されている。カバーは、配光制御板が着脱自在に取り付けられる支持部を有し、支持部は、内側に突出したガイドレールからなる。
【先行技術文献】
【特許文献】
【０００３】
【特許文献１】特開２０１５−８４２９６号公報
【発明の概要】
【発明が解決しようとする課題】
【０００４】
しかしながら、特許文献１に開示された照明装置は、カバーに設けられた支持部が、カバーを介して照明装置の外部に露出しているため、ＬＥＤから照射された光が支持部に当たると、カバーに影として現れる。また、支持部はリブから構成されたガイドレールであるため、安定した形状で生産し難く、他の部位と比較して厚さにばらつきが生じる。このため、ユーザが意図しない配光となるおそれがある。このように、特許文献１に開示されたような複数のカバーが用いられた照明装置において、カバーを保持する支持部に起因して所望の配光が得られない。
【０００５】
本発明は、上記のような課題を解決するためになされたもので、複数のカバーを用いても所望の配光制御が可能な照明器具を提供するものである。
【課題を解決するための手段】
【０００６】
本発明に係る照明器具は、内部に中空部が形成された器具本体と、器具本体に取り付けられる光源ユニットと、を備え、光源ユニットは、光を照射する発光部と、発光部が載置され、中空部に収容されるフレームと、発光部を覆うようにフレームに取り付けられ、発光部から照射された光の配光を制御する第１のカバーと、第１のカバーに取り付けられ、発光部から照射された光の配光を制御する第２のカバーと、を有し、第１のカバーは、中空部に配置され、第２のカバーを保持する保持部を有する。
【発明の効果】
【０００７】
本発明によれば、第２のカバーを保持する保持部が、器具本体の中空部に配置されている。このため、発光部から照射された光が保持部に当たっても、保持部に当たった光は、中空部内で拡散される。よって、保持部に当たった光は、第１のカバーに直接当たらないため、第１のカバーに影が現れることを抑制することができる。このように、照明器具は、複数のカバーを用いても所望の配光制御が可能である。
【図面の簡単な説明】
【０００８】
【図１】実施の形態１に係る照明器具１０００を示す組立斜視図である。
【図２】実施の形態１に係る照明器具１０００を示す側面図である。
【図３】実施の形態１に係る照明器具１０００を示す分解斜視図である。
【図４】実施の形態１における器具本体１００を示す断面図である。
【図５】実施の形態１における光源ユニット２００を示す分解斜視図である。
【図６】実施の形態１における光源ユニット２００を示す断面図である。
【図７】実施の形態１における光源ユニット２００を示す分解断面図である。
【図８】実施の形態１に係る照明器具１０００を示す組立断面図である。
【発明を実施するための形態】
【０００９】
実施の形態１．
以下、本発明に係る照明器具の実施の形態について、図面を参照しながら説明する。図１は、実施の形態１に係る照明器具１０００を示す組立斜視図であり、図２は、実施の形態１に係る照明器具１０００を示す側面図である。図１及び図２に示すように、照明器具１０００は、長手方向に延びて長尺状をなしており、天井等の被取付部（図示せず）に取り付けられる器具本体１００と、器具本体１００に取り付けられる光源ユニット２００とを備えている。
【００１０】
図３は、実施の形態１に係る照明器具１０００を示す分解斜視図である。図３に示すように、器具本体１００は、内部に中空部１１０が形成されており、光源ユニット２００の一部が中空部１１０に挿入される。これにより、照明器具１０００が構成されている。
【００１１】
図４は、実施の形態１における器具本体１００を示す断面図であり、図２のＡ−Ａ断面図のうち、器具本体１００を示す。器具本体１００は、天井等の被取付部に形成された穴に埋めこまれ、中空部１１０が長手方向に延在する非透光性の部材である。図４に示すように、器具本体１００は、底面を構成する底面部１１１と、底面部１１１の両端から垂直に延びる側面部１１２と、側面部１１２の先端から水平方向に延びる鍔部１１３と、長手方向の両端に設けられる蓋部１１４とを有している。底面部１１１は、被取付部に固定される長手方向に延びる板状の部材である。底面部１１１には、吊りボルト等の固定具（図示せず）が挿入される固定穴１１１ａと、外部から電力を供給する電線（図示せず）が挿入される電源穴１１１ｂとが形成されている。なお、底面部１１１に対向する側は、開口１１０ａとなっている。
【００１２】
側面部１１２は、長手方向に延びる板状の部材である。鍔部１１３は、長手方向に延びる板状の部材であり、光源ユニット２００に接触する部分である。蓋部１１４は、器具本体１００における長手方向の両端を塞ぐ。
【００１３】
器具本体１００の中空部１１０には、端子台（図示せず）と、電源装置（図示せず）と、連結機構（図示せず）とが設けられている。端子台は、電源穴１１１ｂから引き込まれた電線が接続される。電源装置は、端子台に接続され光源ユニット２００を点灯させる。連結機構は、光源ユニット２００を器具本体１００に着脱自在に取り付けることを可能とする。なお、端子台、電源装置及び連結機構は、中空部１１０に設けられていなくてもよい。照明器具１０００の設置環境によって、端子台、電源装置及び連結機構のうち一部が外部に設けられてもよく、複数台の照明器具１０００に電力を供給する電源装置が、中空部１１０の外部に設けられてもよい。
【００１４】
図５は、実施の形態１における光源ユニット２００を示す分解斜視図である。図５に示すように、光源ユニット２００は、光を照射する発光部２１０と、発光部２１０が載置されるフレーム２２０とを有する。更に、光源ユニット２００は、光の配光を制御する第１のカバー２３０と、光の配光を制御する第２のカバー２４０と、長手方向の両端に設けられるエンドカバー２５０とを有している。発光部２１０は、中空部１１０に収容され、光を照射する。
【００１５】
図６は、実施の形態１における光源ユニット２００を示す断面図であり、図２のＡ−Ａ断面図のうち、光源ユニット２００を示す。図７は、実施の形態１における光源ユニット２００を示す分解断面図である。図５、図６及び図７に示すように、発光部２１０は、光源２１２と、基板２１１とを有している。光源２１２は、光を照射するものであり、例えば複数のＬＥＤからなる。基板２１１は、光源２１２が設けられた長手方向に延びる板状の部材であり、複数の光源２１２が長手方向に一列に並べられている。フレーム２２０は、基板２１１が取り付けられる部材であり、基板２１１が載置される載置面２２１と、載置面２２１の両端から垂直に延びる立ち上がり部２２２とを有している。
【００１６】
第１のカバー２３０は、発光部２１０から照射された光の配光を制御し、光源２１２及び基板２１１を覆うようにフレーム２２０に取り付けられる長手方向に延在する部材である。第１のカバー２３０は、例えば樹脂材料からなる。第１のカバー２３０は、フレーム２２０と係合する一対の係合部２３１と、一対の係合部２３１の先端から内側に延びる一対の保持部２３２ａとを有している。また、第１のカバー２３０は、一対の係合部２３１の先端から延びる主カバー部２３３と、主カバー部２３３の途中から外側に延びる一対の化粧部２３４とを有している。一対の係合部２３１の内部には、フレーム２２０が挿入され、係合部２３１とフレーム２２０とが係合することによって、フレーム２２０と第１のカバー２３０とが固定される。
【００１７】
一対の保持部２３２ａは、主カバー部２３３との間に溝部２３２を形成しており、溝部２３２に第２のカバー２４０が取り付けられる。ここで、保持部２３２ａの先端は、発光部２１０に向かって傾斜して延びている。光源２１２から照射された光が、保持部２３２ａに当たっても、保持部２３２ａで反射されて主カバー部２３３に向かって出射する。即ち、光源２１２から出射された光が保持部２３２ａと係合部２３１との間に入り込んで主カバー部２３３側に出射され難いため、光の損失を減らすことができ、光源ユニット２００の光効率性を高めることができる。ここで、保持部２３２ａは、中空部１１０に配置されている。
【００１８】
一対の主カバー部２３３は、係合部２３１の先端から一旦内側に屈曲し、その後床側に延びている。主カバー部２３３の屈曲部２３３ａと保持部２３２ａとの間に、溝部２３２が形成されている。一対の主カバー部２３３は、床側に延びた先端同士が水平方向において接続されている。主カバー部２３３を通過した光は、被照射空間に照射される。化粧部２３４は、光源ユニット２００が器具本体１００に取り付けられたときに鍔部１１３に接触して鍔部１１３を覆う。これにより、床側から照明器具１０００を視認しても、鍔部１１３は化粧部２３４に隠れて見えない。
【００１９】
第２のカバー２４０は、発光部２１０から照射された光の配光を制御し、長手方向に延びる板状の拡散部材である。第２のカバー２４０は、溝部２３２に差し込まれ、光源２１２と対向する位置に設置されている。第２のカバー２４０は、光源２１２から照射された光を拡散させることによって、第１のカバー２３０に光ムラが生じることを抑制している。第２のカバー２４０は、特に、長手方向に生じる光ムラを抑制している。
【００２０】
エンドカバー２５０は、第１のカバー２３０の断面形状と同様の形状をなしており、第１のカバー２３０の長手方向の両端の開口１１０ａを塞ぐ。エンドカバー２５０が第１のカバー２３０に取り付けられることによって、第１のカバー２３０の溝部２３２に第２のカバー２４０が取り付けられた状態を保持し、第２のカバー２４０が長手方向に変位することが抑制される。エンドカバー２５０は、第１のカバー２３０と同様の樹脂材料からなり、接着剤等によって第１のカバー２３０の長手方向の両端に取り付けられる。
【００２１】
なお、エンドカバー２５０は、第１のカバー２３０と係合する着脱自在の係合機構によって取り付けられてもよい。これにより、第２のカバー２４０を交換することが容易となり、配光性能が異なる複数の第２のカバー２４０を利用することができる。従って、光源ユニット２００の配光特性を容易に変更することができる。また、エンドカバー２５０の材質として、乳白又は不透過の白色材料を用いることによって、エンドカバー２５０側から出射する光の量を調整することができる。
【００２２】
図８は、実施の形態１に係る照明器具１０００を示す組立断面図であり、図２のＡ−Ａ断面図である。図８に示すように、器具本体１００に光源ユニット２００が取り付けられて照明器具１０００が組み立てられる。光源ユニット２００において、器具本体１００の開口１１０ａに対し、主カバー部２３３が外側に位置し、溝部２３２及び係合部２３１が内側である中空部１１０に位置している。即ち、保持部２３２ａが、中空部１１０の開口１１０ａから、中空部１１０の内側に距離Ｌだけ離れた位置に配置されている。
【００２３】
本実施の形態１によれば、第２のカバー２４０を保持する保持部２３２ａが、器具本体１００の中空部１１０に配置されている。このため、発光部２１０から照射された光が保持部２３２ａに当たっても、保持部２３２ａに当たった光は、中空部１１０内で拡散される。ここで、器具本体１００の開口１１０ａから被照射空間に露出している部分は、第１のカバー２３０のみである。
【００２４】
よって、保持部２３２ａに当たった光は、第１のカバー２３０に直接当たらないため、第１のカバー２３０に影が現れることを抑制することができる。このように、照明器具１０００は、複数のカバーを用いても所望の配光制御が可能である。また、溝部２３２が中空部１１０内に存在するため、光が保持部２３２ａに当たっても、第１のカバー２３０の配光制御に影響を与えることを抑制することができる。
【００２５】
保持部２３２ａは、発光部２１０に向かって傾斜して延びている。このため、光源２１２から照射された光が、保持部２３２ａに当たっても、保持部２３２ａで反射されて主カバー部２３３に向かって出射する。即ち、光源２１２から出射された光が保持部２３２ａと係合部２３１との間に入り込んで主カバー部２３３側に出射され難いため、光の損失を減らすことができる。従って、光源ユニット２００の光効率性を高めることができる。
【００２６】
また、化粧部２３４は、器具本体１００の中空部１１０と光源ユニット２００との間の隙間を覆っている。このため、床側から照明器具１０００を視認しても、隙間は化粧部２３４に隠れて見えない。従って、隙間に起因する意匠性の低下を抑制することができる。また、器具本体１００と光源ユニット２００とを連結する連結機構としてバネが用いられる場合、化粧部２３４と鍔部１１３との接触位置を考慮することによって、光源ユニット２００が組み立てられるときに容易に位置決めすることができる。
【００２７】
なお、本実施の形態では、器具本体１００が、一面が開口した直方体形状である場合について例示しているが、長手側方に反射部が設けられた器具本体としてもよい。例えば、器具本体は、逆富士型形状のものでもよい。また、器具本体１００の天井への固定方法は、固定穴１１１ａに固定具を挿通して取り付ける方法以外にも、蓋部１１４に取付金具（爪状）を取り付けシステム天井のＴバーに固定する方法をとってもよい。
【符号の説明】
【００２８】
１００  器具本体、１１０  中空部、１１０ａ  開口、１１１  底面部、１１１ａ  固定穴、１１１ｂ  電源穴、１１２  側面部、１１３  鍔部、１１４  蓋部、２００  光源ユニット、２１０  発光部、２１１  基板、２１２  光源、２２０  フレーム、２２１  載置面、２２２  立ち上がり部、２３０  第１のカバー、２３１  係合部、２３２  溝部、２３２ａ  保持部、２３３  主カバー部、２３３ａ  屈曲部、２３４  化粧部、２４０  第２のカバー、２５０  エンドカバー、１０００  照明器具。
【図１】
2019102122.tif 000003
【図２】
2019102122.tif 000004
【図３】
2019102122.tif 000005
【図４】
2019102122.tif 000006
【図５】
2019102122.tif 000007
【図６】
2019102122.tif 000008
【図７】
2019102122.tif 000009
【図８】
2019102122.tif 000010